(57)【特許請求の範囲】
【請求項１】
１または複数の番線と設計図形とを表す図面データから少なくとも１つの番線を除くためのデータ処理装置であって、
アレイを構成するようにアドレス指定された複数の記憶要素を有し前記図面データを格納するための画像記憶手段と、
前記画像記憶手段に格納されている表示データを表示可能なディスプレイと、
少なくとも１つの番線を前記画像記憶手段において検出するための検出手段と、
前記検出された番線を前記表示データから除くように前記画像記憶手段におけるデータを変更するための変更手段と
を備え、
前記画像記憶手段の前記記憶要素は、前記番線および前記設計図形を示すために第１の属性情報を格納しており、
前記検出手段は、前記画像記憶手段における行および列の一方に含まれる前記記憶要素に格納された属性情報を調べて第１の属性情報を発見したとき、前記行および前記列の他方に含まれる前記記憶要素に格納された属性情報を調べて該第１の属性情報が番線に関連しているか否かを決定する、データ処理装置。
【請求項２】
１または複数の番線と設計図形とを表す図面データから少なくとも１つの番線を除くためのデータ処理装置であって、
アレイを構成するようにアドレス指定された複数の記憶要素を有し前記図面データを格納するための画像記憶手段と、
前記画像記憶手段に格納されている表示データを表示可能なディスプレイと、
少なくとも１つの番線を前記画像記憶手段において検出するための検出手段と、
前記検出された番線を前記表示データから除くように前記画像記憶手段におけるデータを変更するための変更手段と
を備え、
前記画像記憶手段の前記記憶要素は、前記番線および前記設計図形を示すために第１の属性情報を格納しており、
前記検出手段は、前記画像記憶手段における行および列の一方に含まれる前記記憶要素に格納されている前記第１の属性情報を検出するための第１の手段、前記第１の手段において前記第１の属性情報が検出された場合、前記行および前記列の他方に含まれる隔置された少なくとも２つの位置の前記記憶要素に前記第１の属性情報が格納されているか否かを決定するための第２の手段、および前記第２の手段における決定が肯定的である場合、前記行および前記列の他方に沿って番線が設けられているという決定を行うための第３の手段を含む、データ処理装置。
【請求項３】
前記検出された番線が前記設計図形と交差する位置に対応する前記画像記憶手段における前記記憶要素に、前記設計図形に対応したデータを格納するための格納手段を更に備える、請求項１又は請求項２に記載のデータ処理装置。
【請求項４】
前記変更手段は、前記番線および前記設計図形が存在しないことを示す第２の属性情報を前記検出された番線に対応する前記記憶要素に格納するための第４の手段を含み、
前記格納手段は、前記検出された番線と前記設計図形とが交差する部位に対応する前記記憶要素に前記第１の属性情報を格納するための第５の手段を含む、請求項３に記載のデータ処理装置。
【請求項５】
前記格納手段は、前記変更手段において変更されたデータを格納していた前記記憶要素に前記画像記憶手段における行および列の一方に沿った方向に関して隣接する前記記憶要素に、第１の属性情報が格納されている否かを決定するための第６の手段と、前記第６の手段における決定が肯定的である場合、前記第６の手段における決定に係わる前記記憶要素の間に位置する前記記憶要素に前記第１の属性情報を格納するための第７の手段とを有する請求項３に記載のデータ処理装置。
【請求項６】
１または複数の番線と設計図形とを表す図面データから少なくとも１つの番線を除いてターゲットデータをデータ処理装置を用いて生成する方法であって、前記ターゲットデータは、前記図面データから少なくとも１つの番線データを除去して生成されており、前記データ処理装置は、アレイを構成するようにアドレス指定された複数の記憶要素と、ディスプレイと、検出手段と、変更手段とを含み、前記図形データの少なくとも一部を示す表示データが前記複数の記憶要素に格納されており、前記表示データは前記ディスプレイに表示されており、
前記検出手段が少なくとも１つの番線を前記アレイ状の記憶要素において検出する検出ステップと、
前記変更手段が前記検出された番線を前記表示データから除くように前記記憶要素におけるデータを変更してターゲットデータを生成する変更ステップとを備え、
前記番線および前記設計図形は、前記ディスプレイにおいて第１の表示色として表され、前記第１の表示色は前記記憶要素に格納された第１の属性情報に対応し、
前記検出ステップでは、前記検出手段が、前記行および前記列の一方に含まれる前記記憶要素に格納された属性情報を調べて前記第１の属性情報を発見したとき、前記行および前記列の他方に含まれる前記記憶要素に格納された属性情報を調べて該第１の属性情報が番線に関連しているか否かを決定する、方法。
【請求項７】
１または複数の番線と設計図形とを表す図面データから少なくとも１つの番線を除いてターゲットデータをデータ処理装置を用いて生成する方法であって、前記ターゲットデータは、前記図面データから少なくとも１つの番線データを除去して生成されており、前記データ処理装置は、アレイを構成するようにアドレス指定された複数の記憶要素と、ディスプレイと、検出手段と、変更手段とを含み、前記図形データの少なくとも一部を示す表示データが前記複数の記憶要素に格納されており、前記表示データは前記ディスプレイに表示されており、
前記検出手段が、少なくとも１つの番線を前記アレイ状の記憶要素において検出する検出ステップと、
前記変更手段が前記検出された番線を前記表示データから除くように前記記憶要素におけるデータを変更してターゲットデータを生成する変更ステップとを備え、
前記番線および前記設計図形は、前記ディスプレイにおいて第１の表示色として表され、前記第１の表示色は前記記憶要素に格納された第１の属性情報に対応し、
前記検出ステップは、第１〜第３のステップを含み、第１のステップでは、前記検出手段が、前記行および前記列の一方に含まれる前記記憶要素に前記第１の属性情報が格納されているか否かを決定し、前記第２のステップでは、前記第１のステップにおける決定が肯定的である場合、前記検出手段が、前記行および前記列の他方に含まれる隔置された複数の位置の前記記憶要素に前記第１の属性情報が格納されているか否かを決定し、および、前記第３のステップでは、前記第２のステップにおける決定が肯定的である場合、前記検出手段が、前記行および前記列の他方に沿って番線が設けられているという決定を行う、方法。
【請求項８】
前記変更ステップでは、前記変更手段が、前記検出された番線が前記設計図形と交差する位置に対応する前記記憶要素に、前記設計図形に対応したデータを格納する、請求項６又は請求項７に記載の方法。
【請求項９】
前記変更ステップは、前記番線および前記設計図形が存在しないことを示す第２の属性情報を前記検出ステップにおいて検出された番線に対応する前記記憶要素に前記変更手段が格納する第４のステップと、前記番線と前記設計図形とが交差する部位に対応する前記記憶要素に前記第１の属性情報を前記変更手段が格納する第５のステップとを含む、請求項６又は請求項７に記載の方法。
【請求項１０】
前記変更ステップは、前記番線および前記設計図形が存在しないことを示す第２の属性情報を前記検出された番線に対応する前記記憶要素に前記変更手段が格納する第６のステップと、前記第６のステップにおいて変更された前記記憶要素に前記行および前記列の一方に沿った方向に関して隣接する一対の前記記憶要素に、前記第１の属性情報が格納されている否かを前記変更手段が決定する第７のステップと、前記第６のステップにおける決定が肯定的である場合、前記第７のステップにおける決定に係わる前記記憶要素の間に位置する前記記憶要素に前記第１の属性情報を前記変更手段が格納する第８のステップとを有する請求項６又は請求項７に記載の方法。
【請求項１１】
１または複数の番線と設計図形とを表す図面データから少なくとも１つの番線を除いてターゲットデータを生成するためにコンピュータを、
アレイを構成するようにアドレス指定されディスプレイに表示するためのデータを格納する複数の記憶要素に前記図形データの少なくとも一部を格納するための画像記憶手段と、
少なくとも１つの番線に対応する情報を前記アレイ状の記憶要素において検出するための検出手段と、
前記検出された番線を前記表示データから除くように前記記憶要素におけるデータを変更してターゲットデータを生成するための変更手段として機能させるためのプログラムを記録したコンピュータ読み取り可能な記憶媒体であって、
前記記憶要素は、前記番線および前記設計図形を示すために第１の属性情報を格納しており、
前記検出手段は、前記画像記憶手段における行および列の一方に含まれる前記記憶要素に格納された属性情報を調べて第１の属性情報を発見したとき、前記行および前記列の他方に含まれる前記記憶要素に格納された属性情報を調べて該第１の属性情報が番線に関連しているか否かを決定する、コンピュータ読み取り可能な記憶媒体。
【請求項１２】
１または複数の番線と設計図形とを表す図面データから少なくとも１つの番線を除いてターゲットデータを生成するためにコンピュータを、
アレイを構成するようにアドレス指定されディスプレイに表示するためのデータを格納する複数の記憶要素に前記図形データの少なくとも一部を格納するための画像記憶手段と、
少なくとも１つの番線に対応する情報を前記アレイ状の記憶要素において検出するための検出手段と、
前記検出された番線を前記表示データから除くように前記記憶要素におけるデータを変更してターゲットデータを生成するための変更手段として機能させるためのプログラムを記録したコンピュータ読み取り可能な記憶媒体であって、
前記記憶要素は、前記番線および前記設計図形を示すために第１の属性情報を格納しており、
前記検出手段は、前記画像記憶手段における行および列の一方に含まれる前記記憶要素に格納されている前記第１の属性情報を検出するための第１の手段、前記第１の手段において前記第１の属性情報が検出された場合、前記行および前記列の他方に含まれる隔置された少なくとも２つの位置の前記記憶要素に前記第１の属性情報が格納されているか否かを決定するための第２の手段、および前記第２の手段における決定が肯定的である場合、前記行および前記列の他方に沿って番線が設けられているという決定を行うための第３の手段を含む、コンピュータ読み取り可能な記憶媒体。
【請求項１３】
１または複数の番線と設計図形とを表す図面データから少なくとも１つの番線を除いてターゲットデータを生成するためにコンピュータを、アレイを構成するようにアドレス指定されディスプレイに表示するためのデータを格納する複数の記憶要素に前記図形データの少なくとも一部を格納するための画像記憶手段と、少なくとも１つの番線に対応する情報を前記アレイ状の記憶要素において検出するための検出手段と、前記検出された番線を前記表示データから除くように前記記憶要素におけるデータを変更してターゲットデータを生成するための変更手段として機能させるためのプログラムであって、
前記画像記憶手段の前記記憶要素は、前記番線および前記設計図形を示すために第１の属性情報を格納しており、
前記検出手段は、前記画像記憶手段における行および列の一方に含まれる前記記憶要素に格納された属性情報を調べて第１の属性情報を発見したとき、前記行および前記列の他方に含まれる前記記憶要素に格納された属性情報を調べて該第１の属性情報が番線に関連しているか否かを決定する、プログラム。
【請求項１４】
１または複数の番線と設計図形とを表す図面データから少なくとも１つの番線を除いてターゲットデータを生成するためにコンピュータを、アレイを構成するようにアドレス指定されディスプレイに表示するためのデータを格納する複数の記憶要素に前記図形データの少なくとも一部を格納するための画像記憶手段と、少なくとも１つの番線に対応する情報を前記アレイ状の記憶要素において検出するための検出手段と、前記検出された番線を前記表示データから除くように前記記憶要素におけるデータを変更してターゲットデータを生成するための変更手段と
して機能させるためのプログラムであって、
前記記憶要素は、前記番線および前記設計図形を示すために第１の属性情報を格納しており、
前記検出手段は、前記画像記憶手段における行および列の一方に含まれる前記記憶要素に格納されている前記第１の属性情報を検出するための第１の手段、前記第１の手段において前記第１の属性情報が検出された場合、前記行および前記列の他方に含まれる隔置された少なくとも２つの位置の前記記憶要素に前記第１の属性情報が格納されているか否かを決定するための第２の手段、および前記第２の手段における決定が肯定的である場合、前記行および前記列の他方に沿って番線が設けられているという決定を行うための第３の手段を含む、プログラム。
【発明の詳細な説明】
【０００１】
【発明の属する技術分野】
本発明は、データ処理装置、ターゲットデータを生成する方法、コンピュータで読み出し可能な媒体、およびプログラムに関する。
【０００２】
【従来の技術】
様々な工業製品の設計をコンピュータ上において行い、その設計データをコンピュータ上に保存するようになってきた。一方、コンピュータはネットワークを介して接続されるようになった。このようなネットワーク環境の中で、技術開発の成果の発表および設計報告書の作成に際して、設計データの再利用の機会が増加している。設計データには本来の設計図形と番線とが含まれている。
【０００３】
【発明が解決しようとする課題】
設計データの再利用に際しては設計図形の情報が必要とされるものであり、設計データに含まれる番線はむしろ不要なデータである。
【０００４】
しかしながら、設計用ＣＡＤツールはこのよう再利用をあまり考慮していないので、設計データから番線を削除するためのユティティを含んでいない。つまり、設計データの再利用を促進できるようなデータ処理装置が望まれている。
【０００５】
発明者はこのような要求に応ずるために様々な検討を行った。この検討に際して、番線が備える特徴を見出した。その特徴とは、番線は縦および横に沿って伸びている、ということであり、また表示ウインドウの一辺から他辺まで伸びている。これらの特徴を利用することによって、設計データから番線を削除するための検討を進めた。
【０００６】
そこで、本発明の目的は、番線と設計図形とを表す図面データから少なくとも１つの番線を除くためのデータ処理装置、ターゲットデータを生成する方法、コンピュータで読み出し可能な媒体、およびプログラムを提供することとした。
【０００７】
【課題を解決するための手段】
本発明の一側面は、データ処理装置に係わる。データ処理装置は、１または複数の番線と設計図形とを表す図面データから少なくとも１つの番線を除くように動作する。データ処理装置は、画像記憶手段と、検出手段と、変更手段と、ディスプレイとを備える。画像記憶手段は、アレイを構成するようにアドレス指定された複数の記憶要素を有し、図形データを記憶するように動作する。検出手段は、少なくとも１つの番線を画像記憶手段において検出するように動作する。変更手段は、検出された番線を表示データから除くように画像記憶手段におけるデータを変更するように動作する。ディスプレイは、画像記憶手段に格納されているデータを表示する。この表示は、ドット表示形式で行うようにしてよい。
データ処理装置では、前記画像記憶手段の前記記憶要素は、前記番線および前記設計図形を示すために第１の属性情報を格納する。前記検出手段は、前記画像記憶手段における行および列の一方に含まれる前記記憶要素に格納された属性情報を調べて第１の属性情報を発見したとき、前記行および前記列の他方に含まれる前記記憶要素に格納された属性情報を調べて該第１の属性情報が番線に関連しているか否かを決定する。
また、データ処理装置では、前記画像記憶手段の前記記憶要素は、前記番線および前記設計図形を示すために第１の属性情報を格納する。前記検出手段は、前記画像記憶手段における行および列の一方に含まれる前記記憶要素に格納されている前記第１の属性情報を検出するための第１の手段、前記第１の手段において前記第１の属性情報が検出された場合、前記行および前記列の他方に含まれる隔置された少なくとも２つの位置の前記記憶要素に前記第１の属性情報が格納されているか否かを決定するための第２の手段、および前記第２の手段における決定が肯定的である場合、前記行および前記列の他方に沿って番線が設けられているという決定を行うための第３の手段を含む。
【０００８】
図形データのうちの所望の部分を画像記憶手段に格納しているので、図形データのうちの所望の部分内に存在する番線を選択的に検出でき、選択的に削除できる。また、図形データのうちの所望の部分をディスプレイに表示しながら番線の検出および削除を行っているので、データ処理装置の動作が視覚的に確認される。
【０００９】
データ処理装置は格納手段を更に備え、格納手段は、設計図形に対応したデータを画像記憶手段内の所定の記憶要素に格納するように動作する。所定の記憶要素は、検出された番線が設計図形と交差する位置に対応する。格納手段によれば、設計図形のデータを失なうことなく番線の消去が可能になる。
【００１０】
本発明の別の側面は、１または複数の番線と設計図形とを表す図面データから少なくとも１つの番線を除いてターゲットデータをデータ処理装置を用いて生成する方法に係わる。この方法では、ターゲットデータは、図面データから少なくとも１つの番線データを除去するようにして生成されている。この方法は、検出ステップ及び変更ステップを備える。データ処理装置は、アレイを構成するようにアドレス指定された複数の記憶要素と、ディスプレイと、検出手段と、変更手段とを含む。図形データの少なくとも一部を示す表示データが複数の記憶要素に格納される。表示データはディスプレイに表示される。検出ステップは、少なくとも１つの番線を複数の記憶要素において検出する。変更ステップは、検出された番線を表示データから除くように記憶要素におけるデータを変更してターゲットデータを生成する。
この方法では、前記番線および前記設計図形は、前記ディスプレイにおいて第１の表示色として表される。前記第１の表示色は前記記憶要素に格納された第１の属性情報に対応する。前記検出ステップでは、前記検出手段が、前記行および前記列の一方に含まれる前記記憶要素に格納された属性情報を調べて前記第１の属性情報を発見したとき、前記行および前記列の他方に含まれる前記記憶要素に格納された属性情報を調べて該第１の属性情報が番線に関連しているか否かを決定する。
また、この方法では、前記番線および前記設計図形は、前記ディスプレイにおいて第１の表示色として表される。前記第１の表示色は前記記憶要素に格納された第１の属性情報に対応する。前記検出ステップは、第１〜第３のステップを含み、第１のステップでは、前記検出手段が前記行および前記列の一方に含まれる前記記憶要素に前記第１の属性情報が格納されているか否かを決定し、前記第２のステップでは、前記第１のステップにおける決定が肯定的である場合、前記検出手段が、前記行および前記列の他方に含まれる隔置された複数の位置の前記記憶要素に前記第１の属性情報が格納されているか否かを決定し、および、前記第３のステップでは、前記第２のステップにおける決定が肯定的である場合、前記検出手段が、前記行および前記列の他方に沿って番線が設けられているという決定を行う。
【００１１】
ディスプレイ上において図形データのうちから選択した所望の部分を表示するので、ディスプレイの画像によれば、番線の検出および削除の動作が視覚的に確認される。また、番線を消去したい領域に存在する番線を選択的に検出でき、選択的に削除できる。
【００１２】
本発明の更に別の側面は、１または複数の番線と設計図形とを表す図面データから少なくとも１つの番線を除いてターゲットデータを生成する方法、およびデータ処理装置を実現するためのプログラムに係わる。また、本発明の別の側面は、上記のプログラムを記録した、コンピュータで読み出し可能な媒体に係わる。
【００１３】
【発明の実施の形態】
本発明の上記の目的および他の目的、特徴、並びに利点は、添付図面を参照して進められる本発明の好適な実施の形態の以下の詳細な記述からより容易に明らかになる。
【００１４】
本発明の実施の形態を図面を参照しながら説明する。可能な場合には、同一の部分には同一の符号を付する。本実施の形態は、データ処理装置、および１または複数の番線と設計図形とを表す図面データから少なくとも１つの番線を除いてターゲットデータを生成する方法に係わる。
【００１５】
(第１の実施の形態)
図１(ａ)〜(ｅ)は、本実施の形態に係わる方法およびデータ処理装置おける主要な機能を示すため模式図である。図１(ａ)〜(ｅ)は、それぞれ、コンピュータの表示画面を示している。
【００１６】
図１(ａ)は、ディスプレイ上に表示されたウインドウ１内に設計図形３と番線５、７を示し、図１(ｂ)は、ウインドウ１内に設計図形３を示している。ウインドウ１は、縦方向に伸びる番線５と、横方向に伸びる番線７とを含む。図１(ａ)に示されるようなウインドウ１内に示された図形データに上記の方法を施すことにより、ターゲットデータが生成される。ターゲットデータは、図１(ｂ)に示されるように、ウインドウ１内に設計図形を含み番線を含まない。この方法は、以下に示される実施例に記述されるデータ処理装置において実現される。
【００１７】
図１(ｃ)はウインドウ１内に番線５、７と設計図形９とを示している。図１(ｄ)は、横方向に伸びる番線７を削除する際に失われた部分を有する番線５ａを示している。図１(ｅ)は、ウインドウ１内に番線５ｂと設計図形９を示している。番線５ｂでは、横方向に伸びる番線７を削除する際に失われたデータ部分が修復され、これによって、横方向に伸びる番線７の消去が完了している。
【００１８】
図１(ａ)〜(ｅ)によれば、ウインドウに表示されたデータに対する番線の消去並びに番線の削除および修復が実行されている。
【００１９】
(第２の実施の形態)
図２は、データ処理装置１０を示す。データ処理装置１０は、ディスプレイ２２、画像記憶手段２４、検出手段２６、および変更手段２８を含む。画像記憶手段２４は複数の記憶要素を有し、１または複数の番線と設計図形とを表す図形データを記憶するように動作する。ディスプレイ２２は、画像記憶手段２４に結合され、画像記憶手段２４に格納されているデータを表示する。この表示は、ドット表示形式で行うようにしてよい。画像記憶手段２４は、検出手段２６および変更手段２８に結合されている。検出手段２６は、画像記憶手段２４に格納された表示データにおいて、少なくとも１つの番線を検出するように動作する。変更手段２６は、検出手段２４において検出された番線を表示データから除くように画像記憶手段２２におけるデータを変更する。
【００２０】
図３は、画像記憶手段２４の構造を示す。画像記憶手段２４は、複数の記憶要素２４ａを有する。これらの記憶要素２４ａは、Ｘ方向に伸びる配列２４ｂ、２４ｃ、２４ｄおよびＹ方向に伸びる配列２４ｅ、２４ｆ、２４ｇに含まれている。図３においては、行はＸ方向に沿った配列された複数の記憶要素を含み、列はＹ方向に沿った配列された複数の記憶要素を含む。この構造によれば、複数の記憶要素２４ａは、アレイを構成するようにアドレス指定される。このため、複数の記憶要素２４ａは、ディスプレイ２２上の画素と対応するようにできる。
【００２１】
画像記憶手段２２の記憶要素は、番線および設計図形を示すために第１の属性情報を格納しており、番線および設計図形が存在しないことを示すために第２の属性情報を格納している。以下の限定されてるものではないが、第１の属性情報はディスプレイ２２において黒色として表示され、第２の属性情報はディスプレイ２２において白色として表示されている。
【００２２】
ディスプレイ２２、画像記憶手段２４、検出手段２６、および変更手段２８の組合せによれば、図形データのうちの所望の部分内に存在する番線を選択的に検出でき、選択的に削除できる。
【００２３】
図４に示されるように、データ処理装置１２は、ディスプレイ２２、画像記憶手段２４、検出手段２６、および変更手段２８に加えて、格納手段３０を更に備えるようにしてもよい。格納手段３０は、設計図形に対応したデータを画像記憶手段２４における所定の記憶要素に格納するように動作する。所定の記憶要素とは、検出手段において検出された番線が設計図形と交差する位置に対応している。これにより、格納手段３０によって、設計図形のデータを失なうことなく番線の消去が可能になる。
【００２４】
また、データ処理装置１０、１２においては、検出手段２６は、画像記憶手段２４の記憶要素２４ａのうちの少なくとも２つの記憶要素に第１の属性情報が格納されている場合に、番線が行および列のその一方に沿って存在すると決定するようにしてもよい。少なくとも２つの記憶要素は、図３において、第１の位置の記憶要素２４ｈと、これと隔置された第２の位置の記憶要素２４ｉとを含むように選択されるようにしてもよく、また第１の位置と第２の位置との間の第３の位置の記憶要素２４ｊを含んでも良い。第１の位置の記憶要素２４ｈおよび第２の位置の記憶要素２４ｉは、それぞれサブウインドウ５２の上辺および下辺に設けられた画素に対応する。番線に対応するデータが複数の記憶要素２４ｈ、２４ｉにおいて発見されたことに基づいて、サブウインドウ５２内に存在する番線の位置を判別している。この検出手段２６によれば、どの行に番線が存在するか否かの判断が可能になり、また列に関しても、同様に番線の有無の判断が可能になる。
【００２５】
図５および図６は、データ処理装置１０のディスプレイ内に表示されているウインドウ５０を示す。ウインドウ５０が、番線消去ツールのために提供されている。ウインドウ５０は、サブウインドウ５２、基本動作ボタン５４、実行ボタン５６、およびオプションボックス５８を有する。サブウインドウ５２は、表示データを表示すると共に、当該ツールによる処理が施される処理領域を示す。基本動作ボタン５４は、他のウインドウからのデータを張り付けるためのボタン５４ａ、他のウインドウへのデータのコピーのためのボタン５４ｂ、および当該ツールによる処理を元に戻すアンドゥ(ｕｎｄｏ)ボタン５４ｃを含む。実行ボタン５６は、サブウインドウ５２に表示されたデータに処理の実行を指示するためのボタンを含み、一括番線削除ボタン５６ａおよび一括番線消去ボタン５６ｂを含む。オプションボックス５８は、当該ツールによる処理を実行する方向に関するオプションを指定するためのチェックサークルを含む。当該ツールによる処理を実行する方向の選択肢は、縦方向、横方向、並びに縦および横方向のうちのいずれかである。
【００２６】
図５を参照すると、サブウインドウ５２には、他のアプリケーションから張り付けられた表示データに含まれる設計図形６０および番線６２ａ〜６２ｄ、６４ａ〜６４ｃが表示されている。番線６２ａ〜６２ｄは縦方向に伸びる。番線６４ａ〜６４ｃは横方向に伸びる。図６を参照すると、サブウインドウ５２には、設計図形６０が表示されており、番線６２ａ〜６２ｄ、６４ａ〜６４ｃは示されていない。したがって、データ処理装置１２によって、１または複数の番線と設計図形とを表す図面データから番線が消去された。この後に、サブウインドウ５２に表示された図形データは、コピーボタン５４ｂによって他のウインドウまたは他のアプリケーションにコピーできる。
【００２７】
(第３の実施の形態)
図７は、本実施の形態に係わるデータ処理装置１４を示す。データ処理装置１４は、ディスプレイ２２、画像記憶手段２４、検出手段２６、および変更手段２８を含む。データ処理装置１４では、検出手段２６は、第１〜３の手段２６ａ、２６ｂ、２６ｃを含む。第１〜３の手段２６ａ、２６ｂ、２６ｃは、画像記憶手段２４に結合されている。これらの手段２６ａ、２６ｂ、２６ｃによれば、番線が検出される。
【００２８】
第１の手段２６ａは、画像記憶手段２２における行(Ｘ)および列(Ｙ)の一方に含まれる記憶要素２４ａに格納されている第１の属性情報を検出する。第２の手段２６ｂは、第１の手段２６ａにおいて第１の属性情報が検出された場合、行(Ｘ)および列(Ｙ)の他方に含まれる隔置された少なくとも２つの位置の記憶要素に第１の属性情報が格納されているか否かを決定する。
【００２９】
図５を参照しながら、第１の手段２６ａの動作手順を例示的に説明する。第１の手段２６ａは、図５中の行(Ｘ軸)６６に配置された記憶要素に格納されている属性を順に調べる。第１の手段２６ａは、まず、記憶要素６６ａに格納された第１の属性情報を検知する。検知された列に関する情報は、記憶手段２６ｄに格納される。第２の手段２６ｂは、記憶手段２６ｄ内の情報に基づいて、この列内において隔置された複数の記憶要素、例えば２つの記憶要素に第１の属性情報が格納されているか否かを調べる。第２の手段２６ｂは、この列に対する調査結果を記憶手段２６ｅに格納する。第３の手段２６ｃは、この列には番線が存在するという決定(肯定的な決定)を記憶手段２６ｅの内容に基づいて行う。
【００３０】
第１の手段２６ａは、次いで、記憶要素６６ｂに格納された第１の属性情報を検知する。しかし、第２の手段２６ｂは、隔置された２点に第１の属性情報が発見できないことを示す結果を第２の記憶手段２６ｅに格納する。第３の手段２６ｃは、この結果には応答しない。続いて、第１の手段２６ａは、記憶要素６６ｃに格納された第１の属性情報を検知する。第２の手段２６ｂは、隔置された２点にも第１の属性情報が格納されている、という結果を第２の記憶手段２６ｅに格納する。第３の手段２６ｃは、この結果に応答して、この列には番線が存在するという決定を行う。このような手順が、記憶要素６６ｄ、６６ｅに対しても実行される。
【００３１】
次いで、図３を参照しながら、記憶要素６６ａを発見するための画像記憶手段２４における手順を例示的に説明する。第１の手段２６ａは、画像記憶手段２２の第１の配列２４ｂ内に配置された記憶要素内の属性情報を順に調べる。第１の行２４ｂは、図５のサブウインドウ５２の最上辺の画素行に対応する。この調査の際に、第１の手段２６ａは、第１の属性情報が記憶要素２４ｈ(図５の記憶要素６６ａに対応する)に格納されていることを検知する。
【００３２】
次いで、第２の手段２６ｂは、記憶要素２４ｈに第１の属性情報が格納されているので、画像記憶手段２２の第１の列２４ｋ内に配置され又は複数の記憶要素２４ｉ内の属性情報を順に調べる。第２の手段２６ｂは、第１の列２４ｋ内に配置された記憶要素２４ｈ、２４ｉ(加えて、記憶要素２４ｊ)を調査し、これらの記憶要素に第１の属性情報が格納されているという情報を獲得する。そして、第２の手段２６ｂは、複数の記憶要素２４ｈ、２４ｉ(加えて、記憶要素２４ｊ)に第１の属性情報がに格納されているという、肯定的な決定をする。
【００３３】
続けて、第３の手段２６ｃは、記憶手段２６ｅの内容に基づいて、番線が対応する第１の属性情報が列２４ｋに格納されているということを記憶手段２６ｅに与える。
【００３４】
この検出手段２６ａ〜２６ｃによれば、行に関して第１の属性情報の有無を調べた後に、当該第１の属性情報が格納されている列に番線が存在するか否かを調べる。この手順によって、この列に番線が存在することを発見でき、同様に、行に番線が存在することを発見できる。さらに、この手順は、番線が図形データに行および列の少なくとも何れかに沿ってウインドウにわたって伸びている、という特徴を利用することにより、番線の発見手順を簡素化している。
【００３５】
(第４の実施の形態)
図８は、本実施の形態に係わるデータ処理装置１６を示す。データ処理装置１６は、ディスプレイ２２、画像記憶手段２４、検出手段２６、変更手段２８、および格納手段３０を含む。データ処理装置１６では、変更手段２８は第４の手段２８ａを含み、格納手段３０は第５手段３０ａを含む。第４の手段２８ａおよび第５の手段３０ａは、それぞれ、画像記憶手段２４に結合されている。これらの手段２８ａ、３０ａによれば、番線が削除されると共に、これに伴って削除された設計図形が修復される。
【００３６】
データ処理装置１６では、第４の手段２８ａは、検出された番線に対応する記憶要素に第２の属性情報を格納する。第５の手段３０ａは、検出された番線と設計図形とが交差する部位に対応する記憶要素に第１の属性情報を格納する。
【００３７】
図３を参照しながら、この手順を例示的に説明する。第１の配列２４ｋに関して肯定的な決定がなされている。配列２４ｋを示す情報は、記憶手段２８ｂに格納されている。第４の手段２８ａは、記憶手段２８ｂの内容に基づいて、配列２４ｋに第２の属性情報の格納する。これによって、配列２４ｋに含まれる記憶要素には、番線が存在しないことを示す第２の属性情報が格納される。しかしながら、設計図形として記憶要素２４ｊ、２４ｌ、２４ｍには第１の属性情報が格納されていたが、記憶要素２４ｊの記憶内容は、第１の属性情報に変更された。そこで、第５の手段３０ａは、記憶手段２８ｂに格納されている情報に基づいて、記憶要素２４ｊに第１の属性情報を格納する。記憶要素２４ｊは、番線と設計図形とが交差する部位に対応している。これらの手段によれば、番線を削除した後に、これに伴って削除された設計図形を修復している。
【００３８】
(第５の実施の形態)
図９は、本実施の形態に係わるデータ処理装置１８を示す。データ処理装置１８は、ディスプレイ２２、画像記憶手段２４、検出手段２６、変更手段２８、および格納手段３０を含む。データ処理装置１８では、格納手段３０は第６の手段３０ｂおよび第７の手段３０ｃを含む。第６の手段３０ａおよび第７の手段３０ｂは、それぞれ、画像記憶手段２４に結合されている。これらの手段３０ｂ、３０ｃによれば、削除された設計図形を修復するための具体的な手順が示される。
【００３９】
図３を参照しながら、この手順を例示的に説明する。第６の手段３０ａは、記憶要素２４ｌ、２４ｍに第１の属性情報が格納されている否かを決定する。第６の手段３０ａは、列２４ｋに含まれる記憶要素に対してこの決定を繰り返し行う。記憶要素２４ｌ、２４ｍは、変更手段２８によって変更された記憶要素２４ｊに隣接している。変更された記憶要素２４ｊは、列(Ｙ)２４ｋに含まれているが、記憶要素２４ｌ、２４ｍは、行(Ｘ)方向に関して配置されている。この手段によれば、第２の属性情報が格納された一群の記憶要素(例えば、記憶要素２４ｊ)に隣接する所定の記憶要素(例えば、記憶要素２４ｌ、２４ｍ)が第１の記憶要素を記憶しているか否かの情報を得ることができる。第６の手段３０ｂは、番線に係わる記憶要素２４ｊに隣接する記憶要素２４ｌ、２４ｍに設計図形に係わるデータが格納されているという肯定的な決定を行ったときは、該当する記憶要素のアドレスを記憶手段３０ｄに格納すると共に、肯定的な決定を第７の手段３０ｃに与える。第７の手段３０ｃは、第６の手段３０ｂにおける決定が肯定的である場合、記憶手段３０ｄの内容に基づいて、記憶要素２４ｊに第１の属性情報を格納する。記憶要素２４ｊは、変更手段２８において変更されており、また第６の手段３０ｂにおける決定に係わる記憶要素２４ｌ、２４ｍの間に位置する。手段３０ｂ、３０ｃによれば、番線の削除の際に失われた設計図形が修復される。
【００４０】
(第６の実施の形態)
図１０は、本実施の形態に係わるデータ処理装置２０を示す。データ処理装置２０は、ディスプレイ２２、画像記憶手段２４、検出手段２６、および変更手段２８を含む。データ処理装置２０では、検出手段は、第１〜３の手段２６ａ、２６ｂ、２６ｃに加えて、第８〜第１０の手段２６ｆ、２６ｇ、２６ｈを含む。第１〜３の手段２６ａ、２６ｂ、２６ｃは、行および列の一方に関する番線を削除でき、第８〜第１０の手段２６ｆ、２６ｇ、２６ｈは行および列の他方に関する番線を削除できる。
【００４１】
図３を参照しながら、第８〜第１０の手段２６ｆ、２６ｇ、２６ｈの動作を例示的に説明する。第８の手段２６ｆは、画像記憶手段２２の第１の配列２４ｅ内に配置された記憶要素内の属性情報を順に調べる。第１の行２４ｂは、図４のサブウインドウ５２の最左辺の画素行に対応し、行２４ｇは最右辺に対応する。この調査の際に、第８の手段２６ｆは、第１の属性情報が記憶要素２４ｎに格納されていることを検知する。また、第８の手段２６ｇは、記憶要素２４ｎのアドレスを記憶手段２６ｉに格納する。
【００４２】
次いで、第９の手段２６ｇは、記憶要素２４ｎに第１の属性情報が格納されているので、画像記憶手段２２の第１の行２４ｐ内に配置された他端の記憶要素２４ｑの属性情報を調べる。第９の手段２６ｇは、第１の行２４ｐに配置された記憶要素２４ｐ、２４ｑを調査し、この結果、これらの記憶要素に第１の属性情報が格納されているという情報を獲得する。記憶要素２４ｐ、２４ｑはそれぞれの行の両端に位置することが好ましい。これに応答して、第９の手段２６ｇは、複数の記憶要素２４ｐ、２４ｑに第１の属性情報が格納されているという、肯定的な決定をする。第９の手段２６ｇは、行に対する調査結果(記憶要素２４ｐ、２４ｑに関する肯定的な決定)を記憶手段２６ｊに格納する。続いて、第１０の手段２６ｈは、この列には番線が存在するという決定を記憶手段２６ｊの内容に基づいて行う。
【００４３】
これらの手段２６ｆ〜２６ｈによれば、列に関して第１の属性情報の有無を調べた後に、当該第１の属性情報が格納されている記憶要素を含む行に番線が存在するか否かを調べている。また、この手順においても、番線が図形データに行および列の少なくとも何れかに沿って配置されているという特徴を利用することにより、番線の発見手順を簡素化できる。第１〜３の手段２６ａ、２６ｂ、２６ｃおよび第８〜１０の手段２６ｆ、２６ｇ、２６ｈによって、この列に番線が存在することを発見でき、同様に、行に番線が存在することを発見できる。
【００４４】
(第７の実施の形態)
図１１は、１または複数の番線と設計図形とを表す図面データから少なくとも１つの番線を除いてターゲットデータを生成する方法に係わるフローチャートを示す。この方法を適用した結果、ターゲットデータでは、図面データから番線データが除去されている。フローチャート８０は、読込ステップ８２と、表示ステップ８４と、消去ステップ８６と、保存ステップ８８とを備える。
【００４５】
読込ステップ８２では、設計データを読み込み、既に説明されたデータ処理装置のメモリに格納する。表示ステップ８４では、画像記憶手段２４に図形データの少なくとも一部を示す表示データを格納して、ディスプレイ２２に表示データを表示する。消去ステップ８６は、画像記憶手段２４内の複数の記憶要素において少なくとも１つの番線を検出した後に、検出された番線を表示データから除くように記憶要素におけるデータを変更する。この結果、ターゲットデータが生成される。保存ステップ８８では、生成されたターゲットデータをデータ処理装置のメモリに格納する。
【００４６】
画像記憶手段２４の記憶要素は、番線および設計図形を示すために第１の属性情報を格納しており、第１の属性情報は、ディスプレイ２２において第１の表示色として表される。また、記憶要素は、番線および設計図形が存在しないことを示すために第２の属性情報を格納しており、第２の属性情報は、ディスプレイにおいて第２の表示色として表される。例えば、第１の表示色は黒であり、第２の表示色は白である。
【００４７】
フローチャート８０に示された方法によれば、図形データのうちから選択した所望の部分をディスプレイに表示するので、番線を消去したい領域に存在する番線を選択的に検出でき、選択的に削除できる。また、所望の領域をディスプレイに表示すれば、番線の検出および削除の動作を視覚的に確認できる。
【００４８】
消去ステップ８６は、番線を検出するために、行および列に対して順に適用される。消去ステップ８６では、例えば列に沿って配置された記憶要素の第１の位置(図３内の２４ｈ)と、これと隔置された第２の位置(図３内の２４ｉ)とを含む少なくとも２カ所に第１の属性情報が格納されている場合に、この列に沿って番線が設けられていると決定する。表示データが、行および列に配置された記憶要素に格納されているので、番線の検出が容易になる。
【００４９】
引き続いて、図１１を参照しながら、このような番線検出の手順を説明する。この方法では、消去ステップ８６は、以下のステップを含む。行探査ステップ８６ａでは、行(図３内の行２４ｂ)に沿って配置された記憶要素の属性情報を調べ、行判定ステップ８６ｂでは、各記憶要素(例えば、図３内の記憶要素２４ｈ)に第１の属性情報が格納されているか否かを調べる。第１の属性情報が発見できないときは、制御は行探査ステップ８６ａに戻る。ここでは、行判定ステップ８６ｂにおいて、記憶要素(記憶要素２４ｈ)に第１の属性情報が格納されているという決定(肯定的な決定)がなされたとする。列探査ステップ８６ｃでは、肯定的な決定に応答して、列(図３内の記憶要素２４ｋ)に沿って隔置された２つの位置の記憶要素２４ｈ、２４ｉの属性情報を調べる。列判定ステップ８６ｄでは、各記憶要素(例えば、図３内の記憶要素２４ｉ)に第１の属性情報が格納されているか否かの決定を行う。第１の属性情報が発見できないときは、制御は列探査ステップ８６ａに戻る。ここでは、列判定ステップ８６ｄにおいて、記憶要素(記憶要素２４ｈ、２４ｉ)に第１の属性情報が格納されているという決定(肯定的な決定)がなされたとする。列判定ステップ８６ｄにおける判定に基づいて、決定ステップ８６ｅでは、列(配列２４ｋ)に沿って番線が設けられているという決定を行う。この決定に応答して、列番線削除ステップ８６ｆでは、列(配列２４ｋ)に沿って第２の属性情報を格納する。
【００５０】
これらのステップにおいては、行および列の一方に沿って記憶要素を調べた後に、行および列の他方に沿って記憶要素を調べている。このため、番線の検出が容易になる。
【００５１】
また、図１２は、変更ステップ９０のフローチャートを示す。変更ステップ９０によれば、列番線削除ステップ８６ｆにおいて削除された設計データの一部を修復できる。変更ステップ９０は、交差検知ステップ９２と、修復ステップ９４とを含む。交差検知ステップ９２は、検出された番線が設計図形と交差する位置を検出する。修復ステップ９４は、検出位置に対応する記憶要素に、設計図形に対応した属性情報を格納する。これらのステップによれば、設計図形の一部を失なうことなく番線の消去が可能になる。
【００５２】
このデータ修復を実行する手順を例示すれば、隣接データ調査ステップ９２ａと、隣接データ判定ステップ９２ｂとを含む。図３を参照しながら、列２４ｋに関してこれらのステップを適用する場合を説明する。隣接データ調査ステップ９２ａでは、列２４ｋの各記憶要素(例えば記憶要素２４ｊ)に隣接する記憶要素(記憶要素２４ｊに対して記憶要素２４ｌ、２４ｍ)の属性情報を検査する。隣接データ判定ステップ９２ｂでは、記憶要素２４ｌ、２４ｍに第１の属性情報が格納されているか否かを判定する。この判定が肯定的であるときは、ステップ９４において、記憶要素２４ｌ、２４ｍの間に位置する記憶要素２４ｊに第１の属性情報を格納する。この判定が否定的であるときは、ステップ９２ａに戻る。これらのステップによれば、修復が必要な記憶要素を検出すると共に、この検出に基づいて設計図形を修復できる。
【００５３】
さらに、図１３は、消去ステップ８６のフローチャートを示す。図１３においては、消去ステップ８６は、番線を検出するために、行に対して適用された後に、列に対して適用される。
【００５４】
引き続いて、図１３のフローチャートを図３を参照しながら説明する。この方法では、消去ステップ８６は、図１１に加えて、以下のステップを更に含む。列探査ステップ８６ｇでは、列２４ｎに沿って配置された記憶要素の属性情報を調べ、列判定ステップ８６ｈでは、各記憶要素(例えば、図３内の記憶要素２４ｐ)に第１の属性情報が格納されているか否かの決定を行う。第１の属性情報が発見できないときは、制御は列探査ステップ８６ｇに戻る。ここでは、列判定ステップ８６ｈにおいて、記憶要素２４ｐに第１の属性情報が格納されているという決定(肯定的な決定)がなされたとする。行探査ステップ８６ｉでは、肯定的な決定に応答して、行２４ｎに沿って隔置された２つの位置の記憶要素２４ｐ、２４ｑの属性情報を調べる。行判定ステップ８６ｊでは、各記憶要素(例えば、図３内の記憶要素２４ｑ)に第１の属性情報が格納されているか否かの決定を行う。第１の属性情報が発見できないときは、制御は列探査ステップ８６ｇに戻る。ここでは、行判定ステップ８６ｊにおいて、記憶要素２４ｐ、２４ｑに第１の属性情報が格納されているという決定(肯定的な決定)がなされたとする。行判定ステップ８６ｊにおける判定に基づいて、決定ステップ８６ｋでは、行２４ｎに沿って番線が設けられているという決定を行う。この決定に応答して、行番線削除ステップ８６ｌでは、行２４ｎに沿って第２の属性情報を格納する。ステップ８６ａ〜８６ｆに加えて、ステップ８６ｇ〜８６ｌによれば、行および列の両方に番線が存在することを発見できる。
【００５５】
図１〜図１３を参照しながら、ターゲットデータを生成する方法およびデータ処理装置を説明した。図１４(ａ)〜図１４(ｅ)は、この方法およびデータ処理装置において実現可能ないくつかの機能を示す。図１４(ａ)〜図１４(ｅ)では、表示データの外枠を示すウインドウ１内に設計図形３および番線５、７が示されている。図１４(ａ)は、行方向に伸びる番線を検出して削除する機能を図示している。図１４(ｂ)は、列方向に伸びる番線を検出して削除する機能を図示している。図１４(ｃ)は、行方向に伸びる番線を検出して削除すると共に、設計図形を補修する機能を図示している。図１４(ｄ)は、列方向に伸びる番線を検出して削除すると共に、設計図形を補修する機能を図示している。図１４(ｅ)は、４点により規定される領域内の図形データを検出して削除する機能を図示している。
【００５６】
図１５は、プログラムを実行可能なデータ処理装置２００を示す。図１５を参照すると、データ処理装置２００は、入力デバイス２１０と、メモリユニット２２０と、プロセッサ２３０と、ディスプレイといった表示デバイス２４０と、出力デバイス２５０とを備えることができる。表示デバイス２４０は画素２４０ａを含み、各画素は画像記憶手段の各記憶要素に関連づけられている。また、データ処理装置２００は、ネットワーク２６０を介して他のコンピュータといったデータ処理装置２７０に接続されることができる。入力デバイス２１０は、キーボード、記録媒体からのデータ読み取り装置、およびポインティングデバイスのうちの一または複数を含むことができる。プロセッサ２３０は、メモリユニット２２０に記憶されたプログラムを実行することができる。この実行によって、これまでに説明されたいくつかのステップが、データ処理装置２００上で実現される。ターゲットデータは、表示デバイス２４０に表示されることができ、出力デバイス２５０を介して出力されることができる。出力デバイスは、プリンタ、記録媒体への書き込み装置等の一または複数を含むことができる。
【００５７】
データ処理装置２００は、所定のソフトウエアがインストールされると、そのソフトウエアに応じて、既に説明された様々な手段のうちの少なくとも１つの手段を実現可能になる。
【００５８】
また、これらの処理を実現するプログラムは、コンピュータで読み出し可能な所定の記録媒体に記録して頒布することが可能である。これらの記録媒体には、これらに限定されるものではないが、ハードディスク、フロッピィディスク、および磁気テープといった磁気媒体、ＣＤ−ＲＯＭおよびＤＶＤ−ＲＯＭといった光学媒体、フロプティカルディスクといった磁気光学媒体、この他にプログラム命令を実行または格納するように特別に配置された、例えばＲＡＭ、ＲＯＭ、および半導体不揮発性メモリといったハードウエアデバイスが含まれる。
【００５９】
本実施の形態では、番線消去の処理をソフトウエアによって実現する場合に例示しながら説明するけれども、この処理は専用のハードウエアによっても実現される。
【００６０】
例えば、記録媒体は、コンピュータ読み取り可能であって、１または複数の番線と設計図形とを表す図面データから少なくとも１つの番線を除いてターゲットデータを生成することをコンピュータに実行させるためのプログラムを記録している。このプログラムは、(ａ)アレイを構成するようにアドレス指定されディスプレイに表示するためのデータを格納する複数の記憶要素に図形データの少なくとも一部を格納する処理と、(ｂ)少なくとも１つの番線に対応する情報を複数の記憶要素において検出する処理と、(ｃ)検出された番線を表示データから除くように記憶要素におけるデータを変更してターゲットデータを生成する処理とを有する。
【００６１】
好適な実施の形態において本発明の原理を図示し説明してきたが、本発明は、そのような原理から逸脱することなく配置および詳細において変更できることが、当業者によって認識される。例えば、本発明は、行毎に単一の記憶要素が配列されている場合に限らず、行毎に複数の記憶要素が配列されているような場合にも適用され、列についても同様であるように変更される。したがって、特許請求の範囲およびその精神の範囲から来る全ての修正および変更に権利を請求する。
【００６２】
【発明の効果】
以上詳細に説明したように、番線と設計図形とを表す図面データから少なくとも１つの番線を除くためのデータ処理装置、ターゲットデータを生成する方法、コンピュータで読み出し可能な媒体、およびプログラムが提供された。
【図面の簡単な説明】
【図１】図１(ａ)〜図１(ｅ)は、この方法およびデータ処理装置おける主要な機能を示すため模式図である。
【図２】図２は、実施の形態に係わるデータ処理装置をブロック図である。
【図３】図３は、画像記憶手段２４の構造を示す図面である。
【図４】図４は、別の実施の形態に係わるデータ処理装置をブロック図である。
【図５】図５は、処理されるべき表示データが表示されている番線消去ツールの表示画像を示す図面である。
【図６】図６は、処理された表示データが表示されている番線消去ツールの表示画像を示す図面である。
【図７】図７は、別の実施の形態に係わるデータ処理装置をブロック図である。
【図８】図８は、別の実施の形態に係わるデータ処理装置をブロック図である。
【図９】図９は、別の実施の形態に係わるデータ処理装置をブロック図である。
【図１０】図１０は、別の実施の形態に係わるデータ処理装置をブロック図である。
【図１１】図１１は、本実施の形態に係わる方法に係わるフローチャートを示す。
【図１２】図１２は、本実施の形態に係わる方法に係わるフローチャートを示す。
【図１３】図１３は、本実施の形態に係わる方法に係わるフローチャートを示す。
【図１４】図１４は、データ処理装置が持つ主要な機能を示す図面である。
【図１５】図１５は、データ処理装置を構成するためのハードウエアの構成図である。
【符号の説明】
１…ウインドウ、３…設計図形、５、７…番線、１０、１２、１４、１６、１８、２０…データ処理装置、２２…ディスプレイ、２４…画像記憶手段、２４ａ…記憶要素、２６…検出手段、２８…変更手段、３０…格納手段、５０…番線消去ツール、５２…処理画像領域
【図１】
0004302907.tif 000002
【図２】
0004302907.tif 000003
【図３】
0004302907.tif 000004
【図４】
0004302907.tif 000005
【図５】
0004302907.tif 000006
【図６】
0004302907.tif 000007
【図７】
0004302907.tif 000008
【図８】
0004302907.tif 000009
【図９】
0004302907.tif 000010
【図１０】
0004302907.tif 000011
【図１１】
0004302907.tif 000012
【図１３】
0004302907.tif 000013
【図１４】
0004302907.tif 000014
【図１５】
0004302907.tif 000015
【図１２】
0004302907.tif 000016